(57)【要約】  機器本体（４）と、ヒンジ部を中心に回動して機器本体（４）に対して開閉する表示パネル（２）と、表示パネル（２）のシャーシ（７）と機器本体（４）の基板（８）とを電気的に接続する可撓性を有したフレキシブルケーブル（５）と、表示パネル（２）と機器本体（４）との隙間（９）からフレキシブルケーブル（５）を遮蔽するように、一方の端部が表示パネル（２）の内部に接続され、他方の端部が機器本体（４）の内部に接続されて取り付けられる可撓性を有した意匠用シート部材（６）とを備える電子機器において、意匠用シート部材（６）を、表示パネル（２）が閉じた状態で、少なくとも一方の端部側に湾曲した撓み部分が形成されるように引き回して取り付けた電子機器である。
2013136367.tif 000002
【特許請求の範囲】
【請求項１】
機器本体と、
ヒンジ部を中心に回動して前記機器本体に対して開閉する開閉部と、
前記開閉部の内部部品と前記機器本体の内部部品とを電気的に接続する可撓性を有した配線部材と、
前記開閉部と前記機器本体との隙間から前記配線部材を遮蔽するように、一方の端部が前記開閉部の内部に接続され、他方の端部が前記機器本体の内部に接続されて取り付けられる可撓性を有した意匠用シート部材とを備える電子機器において、
前記意匠用シート部材を、前記開閉部が閉じた状態で、少なくとも一方の端部側に湾曲した撓み部分が形成されるように引き回して取り付けたことを特徴とする電子機器。
【発明の詳細な説明】
【技術分野】
【０００１】
この発明は、開閉部がヒンジ部を中心に回動して機器本体に対して開閉する電子機器に関する。
【背景技術】
【０００２】
リアシートエンターテイメント（ＲＳＥ）などに利用される車載用表示器は、例えば、その筐体本体が車両の天井に取り付けられ、表示パネルがヒンジ部を中心に回動して機器本体に対して開閉する。このように、表示パネルが開閉するため、表示パネルと機器本体の互いの内部構成を電気的に接続するには、表示パネルの動きに合わせて屈曲が可能なフレキシブルケーブルが利用される。【０００３】
フレキシブルケーブルなどの可撓性がある配線部材は、自由に屈曲が可能である反面、空間的に狭い箇所でその動きが規制されると、開閉部が動くたびに同一の箇所に応力が集中して断線する恐れがある。
このような不具合を解消すべく提案された従来の技術として、例えば特許文献１に開示される電子機器がある。この電子機器には、可動パネルと機器本体とを電気的に接続するフレキシブルケーブルの一部に応力が集中することを防止するため、可動パネルの動作に応じたフレキシブルケーブルの動きを許容する撓みの余裕分を常に形成する補助プレートを設けている。【０００４】
また、従来の車載用表示器には、表示パネルを開いたときに表示パネルと機器本体の間に生じる隙間から上記フレキシブルケーブルが露出しないように、フレキシブルケーブルと同様に可撓性を有した意匠用シート部材を設ける場合がある。この意匠用シート部材は、一端が表示パネルの内部に接続され、他端が機器本体の内部に接続されて、上記隙間からフレキシブルケーブルを遮蔽する。
【先行技術文献】
【特許文献】
【０００５】
【特許文献１】特開２００５−１９７４１９号公報
【発明の概要】
【発明が解決しようとする課題】
【０００６】
従来の電子機器では、表示パネルを閉じた状態で、意匠用シート部材を機器本体から表示パネルにかけてそれぞれの内部形状にシート面を沿わせて取り付けていた。このため、表示パネルを開けて、表示パネルを閉じた状態から意匠用シート部材の両端の相対的な位置が変化したときに働く当該意匠用シート部材を撓ませようとする力によって、意匠用シート部材に余剰な撓みが生じていた。
この意匠用シート部材の余剰な撓みは、表示パネルと機器本体の隙間（意匠面とは反対側の隙間）にフレキシブルケーブルを押し込む場合があり、この場合、表示パネルの開閉動作により生じた応力が隙間に押し込まれた部分に集中して、フレキシブルケーブルの断線や意匠用シート部材に亀裂が発生する可能性があった。【０００７】
なお、特許文献１に係る従来の技術は、補助プレートによってフレキシブルケーブルの動きを許容する撓みの余裕分を常に形成することはできるが、上述のような意匠用シート部材の余剰な撓みに起因したフレキシブルケーブルの不具合は考慮されていない。このため、特許文献１に係る発明では、上記課題を解決することができない。【０００８】
この発明は、上記のような課題を解決するためになされたもので、開閉部と機器本体を接続するフレキシブルケーブルの断線などの不具合の発生を防止できる電子機器を得ることを目的とする。
【課題を解決するための手段】
【０００９】
この発明に係る電子機器は、機器本体と、ヒンジ部を中心に回動して機器本体に対して開閉する開閉部と、開閉部の内部部品と機器本体の内部部品とを電気的に接続する可撓性を有した配線部材と、開閉部と機器本体との隙間から配線部材を遮蔽するように、一方の端部が開閉部の内部に接続され、他方の端部が機器本体の内部に接続されて取り付けられる可撓性を有した意匠用シート部材とを備える電子機器において、意匠用シート部材を、開閉部が閉じた状態で、少なくとも一方の端部側に湾曲した撓み部分が形成されるように引き回して取り付けたことを特徴とする。
【発明の効果】
【００１０】
この発明によれば、開閉部と機器本体とを接続するフレキシブルケーブルの断線などの不具合の発生を防止することができるという効果がある。
【図面の簡単な説明】
【００１１】
【図１】この発明の実施の形態１に係る電子機器を示す斜視図である。
【図２】従来の電子機器における意匠用シート部材およびフレキシブルケーブルを示す断面図である。
【図３】実施の形態１に係る電子機器における意匠用シート部材およびフレキシブルケーブルを示す断面図である。
【発明を実施するための形態】
【００１２】
以下、この発明をより詳細に説明するため、この発明を実施するための形態について、添付の図面に従って説明する。
実施の形態１．
図１は、この発明の実施の形態１に係る電子機器を示す斜視図であり、この発明を車両のＲＳＥに利用される車載用表示器に適用した場合を示している。図１に示す車載用表示器１は、表示パネル２をヒンジ部を中心に回動させることにより機器本体４に対して開閉可能である。また、表示パネル２の内部部品と機器本体４の内部部品は、可撓性を有した配線部材であるフレキシブルケーブルなどを介して電気的に接続されている。なお、可撓性を有した配線部材としては、樹脂フィルムに配線パターン形成されたフレキシブルプリントケーブル、あるいは複数の被覆導線が帯状に互いに接合されたフラットケーブルなどが挙げられる。以降では、当該配線部材をフレキシブルケーブルと呼ぶ。
【００１３】
表示パネル２を完全に閉じた状態では、図１（ａ）に示すように機器本体４を覆うカバー３の凹部に表示パネル２が嵌っており、内部配線であるフレキシブルケーブルが外部に露出することはない。しかしながら、表示パネル２が開いた状態では、図１（ｂ）に示すように、表示パネル２におけるヒンジ部の軸方向に沿った端辺部２ｂと機器本体４との間に生じた隙間から、内部のフレキシブルケーブルが露出する可能性がある。
【００１４】
特に、車載用表示器１が、機器本体４を車両の天井に取り付ける天井取り付け型の表示器である場合には、後部座席の乗員が表示パネル２の斜め下から表示画面２ａを見上げる状態となる。表示画面２ａをその法線方向から見れば、上記隙間はカバー３に隠れて視認が困難であるが、表示パネル２の斜め下から表示画面２ａを見上げた場合、乗員からは、表示画面２ａに加え、上記隙間も視認可能となる。
このため、従来から、可撓性を有する意匠用シート部材が、表示パネル２と機器本体４との隙間からフレキシブルケーブルを遮蔽するように、一方の端部が表示パネル２の内部に接続され、他方の端部が機器本体４の内部に接続されて取り付けられる。
【００１５】
図２は、従来の電子機器における意匠用シート部材およびフレキシブルケーブルを示す断面図であり、従来の車載用表示器を、図１のＡ−Ａ線で切った断面を図１の矢印Ｂ方向から見た断面矢視図である。図２（ａ）、図２（ｂ）に示すように、フレキシブルケーブル５は、表示パネル２内のシャーシ７の内部に実装されたコネクタ５ａと、機器本体４内の基板８上に実装されたコネクタ５ｂを介して、シャーシ７の内部の電子部品と基板８上の電子部品を電気的に接続している。
【００１６】
また、従来の車載用表示器では、図２（ａ）に示すように、表示パネル２を閉じた状態で、機器本体４から表示パネル２にかけてそれぞれの内部形状にシート面を沿わせて意匠用シート部材６’が取り付けられる。フレキシブルケーブル５は、意匠用シート部材６’とともに端辺部２ｂの形状に沿った状態になる。
【００１７】
この状態から表示パネル２を開いていくと、表示パネル２を閉じた状態から意匠用シート部材６’の両端の相対的な位置が変化して意匠用シート部材６’を撓ませる力が働く。この力により、図２（ｂ）に示すように意匠用シート部材６’に余剰な撓みが発生する。
この余剰な撓みは、表示パネル２と機器本体４との隙間９（意匠面とは反対側の隙間）にフレキシブルケーブル５を押し込む場合があり、この場合、フレキシブルケーブル５の動きが規制されるため、隙間９に押し込まれた部分に応力が集中する。
このため、表示パネル２の開閉が繰り返されると、フレキシブルケーブル５が断線する可能性があり、さらに、フレキシブルケーブル５を隙間９に押し込んだ意匠用シート部材６’にも亀裂が発生する可能性があった。
【００１８】
そこで、この発明では、意匠用シート部材を、表示パネルが閉じた状態で、少なくとも一方の端部側が湾曲した撓み部分を形成するように引き回して取り付ける。
このように構成することにより、表示パネルが開くときに働く意匠用シート部材を撓ませようとする力が、上記湾曲した撓み部分に吸収される。このため、意匠用シート部材に余剰な撓みが発生することがなく、上述した不具合を防止できる。
【００１９】
図３は、実施の形態１に係る電子機器における意匠用シート部材およびフレキシブルケーブルを示す断面図であり、実施の形態１に係る車載用表示器１を、図１のＡ−Ａ線で切った断面を図１の矢印Ｂ方向から見た断面矢視図である。
図３に示す車載用表示器１では、図３（ａ）に示すように、表示パネル２を閉じた状態で、意匠用シート部材６の機器本体４側の端部が湾曲した撓み部分を形成するように意匠用シート部材６を引き回して取り付けている。すなわち、図３（ａ）の符号Ｃを付した破線部分に示すように、表示パネル２のヒンジ部とは逆側に湾曲した撓み部分が形成されるように意匠用シート部材６を引き回す。
このように意匠用シート部材６を取り付けることで、表示パネル２を開いたときに働く意匠用シート部材６を撓ませようとする力が上記湾曲した撓み部分に吸収される。これにより、図３（ｂ）に示すように、機器本体４側の湾曲した撓み部分は大きくなるが、表示パネル２と機器本体４との隙間９に向かって余剰な撓みが形成されることはなく、余剰な撓みに起因した不具合の発生を防止することができる。
【００２０】
なお、図３では、意匠用シート部材６の機器本体４側の端部にあらかじめ湾曲した撓み部分を形成しておく態様を示したが、本発明は、これに限定されるものではない。
例えば、当該撓み部分は、表示パネル２が開くときに働く上記力を吸収すると大きくなるので、これを許容する空間が表示パネル２側にある場合には、表示パネル２側の端部に湾曲した撓み部分が形成されるように引き回して取り付けてもよく、また表示パネル２側および機器本体４側の双方に湾曲した撓み部分が形成されるように引き回して取り付けてもよい。
【００２１】
また、上記実施の形態１では、本発明に係る電子機器を車載用表示機器に適用した場合を示したが、機器本体と、ヒンジ部を中心に回動して機器本体に対して開閉する開閉部と、開閉部の内部部品と機器本体の内部部品とを電気的に接続する可撓性を有した配線部材と、開閉部と機器本体との隙間から配線部材を遮蔽するように、一方の端部が開閉部の内部に接続され、他方の端部が機器本体の内部に接続されて取り付けられる可撓性を有した意匠用シート部材とを備える電子機器であれば、表示機器以外であってもよい。例えば、機器本体に対して開閉する蓋部を有する電子機器でも適用可能である。
【００２２】
以上のように、この実施の形態１によれば、意匠用シート部材６を、表示パネル２が閉じた状態で、少なくとも一方の端部側に湾曲した撓み部分が形成されるように引き回して取り付けたので、フレキシブルケーブル５の断線などの不具合を防止することができる。
【００２３】
なお、本発明はその発明の範囲内において、実施の形態の任意の構成要素の変形、もしくは実施の形態の任意の構成要素の省略が可能である。
【産業上の利用可能性】
【００２４】
この発明に係る電子機器は、開閉部と機器本体とを接続するフレキシブルケーブルの断線などの不具合の発生を防止することができるので、小型化により意匠用シート部材の撓みによる影響を受けやすい車載用表示器などに好適である。
【符号の説明】
【００２５】
１，１’  車載用表示器、２  表示パネル、２ａ  表示画面、２ｂ  端辺部、３  カバー、４  機器本体、５  フレキシブルケーブル、５ａ，５ｂ  コネクタ、６，６’  意匠用シート部材、７  シャーシ、８  基板、９  隙間。
【図１】
2013136367.tif 000003
【図２】
2013136367.tif 000004
【図３】
2013136367.tif 000005
【手続補正書】
【提出日】平成26年6月10日(2014.6.10)
【手続補正１】
【補正対象書類名】明細書
【補正対象項目名】０００９
【補正方法】変更
【補正の内容】
【０００９】
この発明に係る電子機器は、機器本体と、ヒンジ部を中心に回動して機器本体に対して開閉する開閉部と、開閉部の内部部品と機器本体の内部部品とを電気的に接続する可撓性を有した配線部材と、開閉部と機器本体との隙間から配線部材を遮蔽するように、一方の端部が開閉部の内部に接続され、他方の端部が機器本体の内部に接続されて取り付けられる可撓性を有した意匠用シート部材とを備える電子機器において、意匠用シート部材を、開閉部が閉じた状態で、機器本体の内部側の端部からヒンジ部側とは逆側に、湾曲した撓み部分が形成されるように引き回して取り付け、開閉部を開くことにより、湾曲した撓み部分が、機器本体の内部で、機器本体の底部側に広がるように変形することを特徴とする。
【手続補正２】
【補正対象書類名】特許請求の範囲
【補正対象項目名】全文
【補正方法】変更
【補正の内容】
【特許請求の範囲】
【請求項１】
機器本体と、
ヒンジ部を中心に回動して前記機器本体に対して開閉する開閉部と、
前記開閉部の内部部品と前記機器本体の内部部品とを電気的に接続する可撓性を有した配線部材と、
前記開閉部と前記機器本体との隙間から前記配線部材を遮蔽するように、一方の端部が前記開閉部の内部に接続され、他方の端部が前記機器本体の内部に接続されて取り付けられる可撓性を有した意匠用シート部材とを備える電子機器において、
前記意匠用シート部材を、前記開閉部が閉じた状態で、前記機器本体の内部側の端部から前記ヒンジ部側とは逆側に、湾曲した撓み部分が形成されるように引き回して取り付け、
前記開閉部を開くことにより、前記湾曲した撓み部分が、前記機器本体の内部で、前記機器本体の底部側に広がるように変形することを特徴とする電子機器。
【手続補正書】
【提出日】平成26年11月13日(2014.11.13)
【手続補正１】
【補正対象書類名】明細書
【補正対象項目名】０００９
【補正方法】変更
【補正の内容】
【０００９】
この発明に係る電子機器は、機器本体と、ヒンジ部を中心に回動して機器本体に対して開閉する開閉部と、開閉部の内部部品と機器本体の内部部品とを電気的に接続する可撓性を有した配線部材と、開閉部と機器本体との隙間から配線部材を遮蔽するように、一方の端部が開閉部の内部に接続され、他方の端部が機器本体の内部に接続されて取り付けられる可撓性を有した意匠用シート部材とを備える電子機器において、意匠用シート部材を、開閉部が閉じた状態で、機器本体の内部側の端部からヒンジ部側とは逆側に、湾曲した撓み部分が形成されるように引き回して取り付け、開閉部を開くことにより、湾曲した撓み部分が大きくなるように変形することを特徴とする。
【手続補正２】
【補正対象書類名】特許請求の範囲
【補正対象項目名】全文
【補正方法】変更
【補正の内容】
【特許請求の範囲】
【請求項１】
機器本体と、
ヒンジ部を中心に回動して前記機器本体に対して開閉する開閉部と、
前記開閉部の内部部品と前記機器本体の内部部品とを電気的に接続する可撓性を有した配線部材と、
前記開閉部と前記機器本体との隙間から前記配線部材を遮蔽するように、一方の端部が前記開閉部の内部に接続され、他方の端部が前記機器本体の内部に接続されて取り付けられる可撓性を有した意匠用シート部材とを備える電子機器において、
前記意匠用シート部材を、前記開閉部が閉じた状態で、前記機器本体の内部側の端部から前記ヒンジ部側とは逆側に、湾曲した撓み部分が形成されるように引き回して取り付け、
前記開閉部を開くことにより、前記湾曲した撓み部分が大きくなるように変形することを特徴とする電子機器。
【国際調査報告】
2013136367.tif 000006
2013136367.tif 000007
2013136367.tif 000008
2013136367.tif 000009